(57)【要約】      （修正有）【課題】遺体に無理なく着用でき、しかも、故人に対する弔いの気持ちが込められた仏衣の提供。【解決手段】両袖部分３０，３０は、胴体部分２０に対して着脱可能な構造となっている。着脱方法としては、図示する面ファスナー４０を使用している。この袖部分３０をいったん胴体部分２０から取り外して、遺体（図示省略）の腕に通した後に、再びこの袖部分３０を胴体部分２０に取り付けることで、遺体への着衣が容易に行える。さらに、袖部分３０が面ファスナー４１で開閉可能な開閉式であると、袖部分３０を腕に通すことも容易となり、遺体への着衣が極めて容易に行える。【選択図】図２
0003118576.tif 000002
【実用新案登録請求の範囲】
【請求項１】
遺体に着用する仏衣であって、袖部分を胴体部分に対して着脱可能な構造とした仏衣。
【請求項２】
袖部分を開閉可能な構造とした請求項１記載の仏衣。
【請求項３】
胴体部分が左右で分離可能な構造とした請求項１又は２記載の仏衣。
【請求項４】
下半身はズボン又はスカートを任意に選択可能とした請求項１から３のいずれかに記載の仏衣。
【請求項５】
胸元に掛ける外衣を備えた請求項１から４のいずれかに記載の仏衣。
【請求項６】
遺体に着用する仏衣であって、遺体の首回りにその先端部を巻き付けて保持される首掛けドレスに、ボレロ風の外衣を備えた仏衣。
【請求項７】
ボレロ風の外衣は、袖部分及び胴体部分を両体側線上で開閉可能な構造とした請求項６記載の仏衣。
【請求項８】
履き物に羽根を取り付けた請求項１から７のいずれかに記載の仏衣。
【請求項９】
頭にかぶるかぶり物又は頭に取り付ける頭飾品を備えた請求項１から８のいずれかに記載の仏衣。
【請求項１０】
経文を入れる袋物を備えた請求項１から９のいずれかに記載の仏衣。
【考案の詳細な説明】
【技術分野】
【０００１】
本考案は、遺体に着用する仏衣に関するものであり、遺体に無理なく着用でき、また故人に対する弔いの気持ちが込められた仏衣に関するものである。
【背景技術】
【０００２】
これまで、仏衣に関する特許文献としては、以下に示す特許文献１〜４のようなものがある。いずれも、固く硬直した遺体に無理なく・容易に着用することが可能な仏衣を提供するものである。
【０００３】
【特許文献１】実用新案登録第３１００８５５号公報
【特許文献２】実用新案登録第３００２６５２号公報
【特許文献３】実開平０６−０４６７２７号公報
【特許文献４】実開平０２−０７８５０３号公報
【考案の開示】
【考案が解決しようとする課題】
【０００４】
確かに、仏衣に関しては上記特許文献１〜４のようなものが開示されているが、実際にこのような仏衣が一般的に普及しているわけではない。不充分ながらも従来からある仏衣で済ませているのが実情である。
そこで、本考案者は、遺体に無理なく着用でき、しかも、故人に対する弔いの気持ちが込められた仏衣の普及・実用を目的とし、仏衣に関する研究・試作を鋭意重ね、本考案をするに至った。
【課題を解決するための手段】
【０００５】
上記目的を達成するために、第１の考案は、遺体に着用する仏衣であって、袖部分を胴体部分に対して着脱可能な構造としたことを特徴とするものである。
第２の考案は、袖部分を開閉可能な構造としたことを特徴とするものである。
第３の考案は、胴体部分が左右で分離可能な構造としたことを特徴とするものである。
第４の考案は、下半身はズボン又はスカートを任意に選択可能としたことを特徴とするものである。
第５の考案は、胸元に掛ける外衣を備えたことを特徴とするものである。
第６の考案は、遺体に着用する仏衣であって、遺体の首回りにその先端部を巻き付けて保持される首掛けドレスに、ボレロ風の外衣を備えたことを特徴とするものである。
第７の考案は、ボレロ風の外衣が、袖部分及び胴体部分を両体側線上で開閉可能な構造としたことを特徴とするものである。
第８の考案は、履き物に羽根を取り付けたことを特徴とするものである。
第９の考案は、頭にかぶるかぶり物又は頭に取り付ける頭飾品を備えたことを特徴とするものである。
第１０の考案は、経文を入れる袋物を備えたことを特徴とするものである。
【考案の効果】
【０００６】
本考案によれば、次のような効果を有する。
（１）仏衣の袖部分を胴体部分に対して着脱可能な構造、同袖部分を開閉可能な構造、胴体部分が左右で分離可能な構造とすることで、遺体に無理なく仏衣を着用できる。従って、仏衣の着用に際して、遺体に無理な姿勢をとらせたくない、遺体にきちんと仏衣を着せてあげたいなどといった遺族・関係者の気持ちを実現でき、それ故に故人に対する弔いの気持ちを込めることができる。
（２）下半身はズボン又はスカートを任意に選択可能、胸元に掛ける外衣を備え、靴又はサンダルに羽根を取り付け、頭にかぶるかぶり物又は頭に取り付ける頭飾品を備え、経文を入れる袋物を備えたりすることで、遺体に充分な装いをさせてあげたい、無事に三途の川を渡って天国へ行ってほしいなどといった遺族・関係者の気持ちを実現でき、それ故に故人に対する弔いの気持ちを込めることができる。
（３）また、遺体の首回りにその先端部を巻き付けて保持される首掛けドレスに、ボレロ風の外衣を備えた仏衣とし、さらには、ボレロ風の外衣が、袖部分及び胴体部分を両体側線上で開閉可能な構造とすることで、上記同様に遺体に無理なく仏衣を着用でき、故人に対する弔いの気持ちを込めることができる。
【考案を実施するための最良の形態】
【０００７】
本考案の実施形態を図面に基づいて説明致します。
図１は本実施形態に係る仏衣（上半身）の全体図であり、図２はその展開図である。
図１の全体図に示すように、仏衣１０は、胴体部分２０と袖部分３０とからなっている。
【０００８】
そして、図２の展開図に示すように、両袖部分３０，３０は、胴体部分２０に対して着脱可能な構造となっている。着脱方法としては、図示する面ファスナー４０を使用する他に、ボタンやジップ・ファスナー（ジッパー）など公知の技術を使用することができる。この袖部分３０をいったん胴体部分２０から取り外して、遺体（図示省略）の腕に通した後に、再びこの袖部分３０を胴体部分２０に取り付けることで、遺体への着衣が容易に行える。さらに、図２の展開図に示すように、袖部分３０が面ファスナー４１で開閉可能な開閉式であると、袖部分３０を腕に通すことも容易となり、遺体への着衣が極めて容易に行える。なお、面ファスナー４１に替えてボタンやジップ・ファスナー（ジッパー）など公知の技術を使用することも勿論可能である。
【０００９】
また、図２の展開図に示すように、胴体部分２０も左右で分離可能な構造となっている。分離方法としては、上記袖部分３０と同様に図示する面ファスナー４２を使用する他に、ボタンやジップ・ファスナー（ジッパー）など公知の技術を使用することができる。胴体部分２０を左右で分離可能な構造とすることで、遺体の左右体側から胴体部分２０を着用できるので、遺体に無理な姿勢をとらせずに着衣が容易に行える。
【００１０】
図３は、本実施形態に係る仏衣（下半身）の全体図である。仏衣（上半身）１０に対して、仏衣（下半身）は、ズボンタイプ１５又はスカートタイプ１６を任意に選択可能とした。これにより、男性でも女性でも故人の生前の好みや遺族・関係者の希望のものを着用できる。
【００１１】
図４は、胸元に掛ける外衣を備えた仏衣に関する説明図である。この外衣５０は、胸元がさびしい時や冬場のような寒い時期などに仏衣１０に重ねるようにして着用することを考慮したものである。
【００１２】
図５は、仏衣に付属する履き物を示した説明図である。この履き物は、靴６０（サンダルのようなものでも可）に羽根６１を取り付けたものである。これは、故人に対して「三途の川」を渡り無事にあの世（天国など）へ行けるようにとの願いが込められている。
【００１３】
図６は、仏衣に付属するかぶり物又は頭飾品を示した説明図である。図６上図は、かぶり物の一例としてゴルフ帽７０を示し、図６下図は、頭飾品の一例としてティアラ７５を示した。なお、かぶり物又は頭飾品も図示したものに限られるものではない。これらかぶり物又は頭飾品を備えることは、頭から足に至るまで身なりを正した上で送り出したいとの願いが込められている。
【００１４】
図７は、仏衣に付属する経文入れ（袋物）を示した説明図である。この経文入れ８０は袋物であり、この中に経文を収めることができる。経文を入れて持ち歩けるようにしたのは、上記履き物と同様、故人に対して「三途の川」を渡り無事にあの世（天国など）へ行けるようにとの願いが込められている。なお、この経文入れ８０に収めるのは経文に限らず、故人を守るためのものであれば、何でも良い。
【００１５】
図８は、本実施形態に係るその他の仏衣の説明図である。図８に示す仏衣９０は、遺体の首回りにその先端部９２を巻き付けて保持される首掛けドレス９１に、ボレロ風の外衣９５を備えたものである。首掛けドレス９１は、先端部９２を遺体の首回りに巻き付けるだけで済むので、その着用が極めて容易である。また、ボレロ風の外衣９５は、袖部分９６及び胴体部分９７を両体側線９８，９８上で開閉可能な構造となっている。これによって、遺体の頭部を通すために形成された通し孔９９に遺体の頭部を通し、その後に両体側線９８，９８を留めることで（面ファスナーやボタンなど公知な技術を利用）、遺体に無理なく着用できる。なお、ボレロ風の外衣とは、比較的短い丈の外衣を意味している。
【００１６】
以上のように、本考案の仏衣は、遺体に無理なく着用できるように工夫され、それがまさに故人に対する弔いの気持ちが込められたものとなっている。また、頭から足に至るまでに種々の付属品を備えることで、より一層故人に対する弔いの気持ちが込められたものとなっている。
【産業上の利用可能性】
【００１７】
本考案は、遺体に着用する仏衣として広く一般的に使用されるものである。
【図面の簡単な説明】
【００１８】
【図１】本実施形態に係る仏衣（上半身）の全体図。
【図２】本実施形態に係る仏衣（上半身）の展開図。
【図３】本実施形態に係る仏衣（下半身）の全体図。
【図４】胸元に掛ける外衣を備えた仏衣に関する説明図。
【図５】仏衣に付属する履き物を示した説明図。
【図６】仏衣に付属するかぶり物又は頭飾品を示した説明図。
【図７】仏衣に付属する経文入れ（袋物）を示した説明図。
【図８】本実施形態に係るその他の仏衣の説明図。
【符号の説明】
【００１９】
１０  仏衣（上半身）    １５，１６  仏衣（下半身）
２０  胴体部分          ３０  袖部分
４０，４１，４２  面ファスナー
５０  外衣
６０  靴    ６１  羽根
７０  ゴルフ帽    ７５  ティアラ
８０  経文入れ
９０  仏衣  ９１  首掛けドレス  ９２  先端部  ９５  外衣  ９６  袖部分
９７  胴体部分    ９８  体側線  ９９  通し孔
【図１】
0003118576.tif 000003
【図２】
0003118576.tif 000004
【図３】
0003118576.tif 000005
【図４】
0003118576.tif 000006
【図５】
0003118576.tif 000007
【図６】
0003118576.tif 000008
【図７】
0003118576.tif 000009
【図８】
0003118576.tif 000010